(57)【要約】【課題】据付位置において室外機が傾斜された場合であっても、据付脚の接合部の破損を防止し、確実に再利用できる空気調和機の室外機の固定構造を提供することである。【解決手段】空気調和機の室外機１００の固定構造においては、室外機１００の矩形の底フレーム１１０の一辺から対辺に向けて延在させることが可能な一対の板状の据付脚２００，２００ａ〜２００ｅを接合部により室外機の矩形の底フレーム１１０に接合させる。また、変形許容部２４０，２４５により接合部および固定台７００の間に加わる外力を吸収することができる。【選択図】図１
2009019849.tif 000002
【特許請求の範囲】
【請求項１】
空気調和機の室外機を設置固定部に固定する空気調和機の室外機の固定構造であって、
前記室外機を前記設置固定部に固定させるために前記室外機の矩形の底板の一辺から対辺に向けて延在させることが可能な一対の板状の据付脚と、
前記室外機の矩形の底板および前記一対の板状の据付脚を接合する接合部と、
前記接合部および前記設置固定部の間に加わる外力を吸収可能な変形許容部と、を含むことを特徴とする空気調和機の室外機の固定構造。
【請求項２】
前記変形許容部は、前記室外機の矩形の底板および前記据付脚のいずれか一方または両方に形成されたことを特徴とする請求項１記載の空気調和機の室外機の固定構造。
【請求項３】
前記変形許容部は、前記据付脚に１または複数の孔形状を設けることにより形成されたことを特徴とする請求項１または請求項２に記載の空気調和機の室外機の固定構造。
【請求項４】
前記変形許容部は、前記据付脚の板状の幅を変化させることにより形成されたことを特徴とする請求項１または請求項２に記載の空気調和機の室外機の固定構造。
【請求項５】
前記変形許容部は、前記接合部および前記設置固定部の間に設けられたことを特徴とする請求項１から請求項４のいずれか１項に記載の空気調和機の室外機の固定構造。
【請求項６】
前記変形許容部は、前記室外機の矩形の底板および前記据付脚を前記設置固定部から剥離する方向に外力が加わった場合に変形し、前記接合部へかかる外力を低減できることを特徴とする請求項１から請求項５のいずれか１項に空気調和機の室外機の固定構造。
【請求項７】
前記変形許容部は、前記接合部の剥離強度よりも剛性強度が低いことを特徴とする請求項１から請求項６のいずれか１項に記載の空気調和機の室外機の固定構造。
【発明の詳細な説明】
【技術分野】
【０００１】
本発明は、空気調和機の室外機を設置固定位置に固定する際の空気調和機の室外機の固定構造に関する。
【背景技術】
【０００２】
従来、ルームエアコン等の空気調和機の室外機を設置固定位置に固定させるため、据付脚（または固定脚、固定用脚とも呼ばれる。）が用いられている。この設置の際に使用される据付脚は、据付時の容易性または据付後の強度の観点に基づいて種々の開発がなされている。
【０００３】
例えば、特許文献１には、溶接やねじ止め、リベット止めによることなく、底板の底面に固定脚を十分な強度で固着できる空気調和装置の室外機における底板と固定脚との接合構造について開示されている。
【０００４】
特許文献１に記載の接合構造では、０．８〜１．０ｍｍの板厚を有する底板と、１．０〜１．２ｍｍの板厚を有する固定脚とが、深さ５．４〜５．８ｍｍのダイスと、直径７．８〜８．２ｍｍのポンチとを用いたプレス加工によって、底板の上面側に突出した略円筒形状のかしめ部を形成するようにかしめられ、重ね合わせて固着されるものである。
【０００５】
また、特許文献２には、ユニット本体の底部を構成する底板の剛性増大化を図り、底板における固定用脚の取付け手間を不要として製造性および外観の向上化が得られ、固定用脚が設けられる部位からのドレン水の漏出を阻止して信頼性の高い空気調和機の室外機について開示されている。
【０００６】
特許文献２記載の空気調和機の室外機では、筐体であるユニット本体の底部をなす底板上に室外熱交換機等を載置固定するとともに、底板に設けられる固定用脚が取付け具を介して被据付部に取付け固定される空気調和機の室外機において、上記固定用脚は、底板の周縁内側から一体に加工展開することにより所定高さに形成される突堤部を有し、かつ被据付部に取付け固定される取付け部が底板外部へ突設されるものである。
【０００７】
【特許文献１】特開平１１−３３７１１７号公報
【特許文献２】特開２００２−２７７００４号公報
【発明の開示】
【発明が解決しようとする課題】
【０００８】
しかしながら、据付時の容易性または据付後の強度の観点に基づいて種々の開発がなされているものの、空気調和機の室外機の据付後（設置後）または据付時（設置時）に室外機本体を傾斜させてしまう場合がある。例えば、室外機の設置固定位置が傾斜していた場合、または空気調和機を取り外して移動させる場合に設置固定位置と接合された固定ボルトを外し忘れて室外機を持ち上げてしまった場合、または、据付時に室外機の下方に据付部材が転がり、固定ボルトの存在を忘れて室外機を持ち上げて拾う場合等がある。このような場合において、特許文献１および特許文献２の構造では、かしめ部が剥離したり、取付け部が破損することとなり、室外機自体を再度据付けることが困難となり、問題となっていた。
【０００９】
本発明の目的は、上記の問題点を鑑みて、据付位置において室外機が傾斜された場合であっても、据付脚の接合部の破損を防止し、再度利用できる空気調和機の室外機の固定構造を提供することである。
【００１０】
本発明の他の目的は、空気調和機の室外機と据付脚との接合部が分離されることを防止することができる空気調和機の室外機の固定構造を提供することである。
【課題を解決するための手段】
【００１１】
（１）
本発明に係る空気調和機の室外機の固定構造は、空気調和機の室外機を設置固定部に固定する空気調和機の室外機の固定構造であって、室外機を設置固定部に固定させるために室外機の矩形の底板の一辺から対辺に向けて延在させることが可能な一対の板状の据付脚と、室外機の矩形の底板および一対の板状の据付脚を接合する接合部と、接合部および設置固定部の間に加わる外力を吸収可能な変形許容部と、を含むものである。
【００１２】
本発明に係る空気調和機の室外機の固定構造においては、室外機の矩形の底板の一辺から対辺に向けて延在させることが可能な一対の板状の据付脚を接合部により室外機の矩形の底板に接合させる。また、変形許容部により接合部および設置固定部の間に加わる外力を吸収することができる。
【００１３】
この場合、空気調和機の室外機と一対の据付脚との接合部を引き剥がそうとする力が加わった場合であっても、変形許容部により据付脚および室外機の接合部に加わる外力を吸収することができ、据付脚および室外機の接合部の分離を防止することができる。その結果、設置固定位置に固定された室外機を傾斜させる動きがあっても、据付脚の接合部の破損を防止し、据付脚を再度利用することができる。
【００１４】
（２）
変形許容部は、室外機の矩形の底板および据付脚のいずれか一方または両方に形成されてもよい。
【００１５】
この場合、変形許容部は、室外機の矩形の底板および据付脚の少なくともいずれか一方に形成されるので、据付脚および室外機の接合部における分離をより確実に防止することができる。すなわち、室外機の矩形の底板および据付脚の両方に形成することにより、接合部における分離を防止することができ、変形許容部が変形した場合でも、再度据付脚を利用して室外機を据付けることができる。
【００１６】
（３）
変形許容部は、据付脚に１または複数の孔形状を設けることにより形成されてもよい。
【００１７】
この場合、据付脚に１または複数の孔形状を設けることにより、据付脚の剛性を積極的に低下させることができる。その結果、外力が加わった場合に変形許容部により積極的に外力を吸収し、据付脚および室外機の矩形状の底板の接合部の分離を防止することができる。
【００１８】
（４）
変形許容部は、据付脚の板状の幅を変化させることにより形成されてもよい。
【００１９】
この場合、据付脚の幅を変化させることにより、据付脚の剛性を積極的に変化させることができる。その結果、接合部の剥離強度よりも据付脚の幅を狭めた部分の剛性強度を低下させることができ、据付脚および室外機の接合部における分離を防止することができる。
【００２０】
（５）
変形許容部は、接合部および設置固定部の間に設けられてもよい。
【００２１】
この場合、室外機と一対の据付脚との接合部を引き剥がそうとする力が、設置固定部と接合部との間に発生するので、変形許容部を設置固定部と接合部との間に設けることにより、当該力を変形許容部により確実に吸収させることができる。また、設置固定部と接合部との間とは、設置固定部および接合部を取り囲む周囲を含むものであり、設置固定部の近傍、接合部の近傍および設置固定部と接合部との間を示す。
【００２２】
（６）
変形許容部は、室外機の矩形の底板および据付脚を設置固定部から剥離する方向に外力が加わった場合に変形し、接合部へかかる外力を低減できることが好ましい。
【００２３】
この場合、変形許容部は、室外機の矩形の底板および据付脚を設置固定部から剥離する方向に外力が加わった場合に変形し、接合部へかかる外力を効率よく低減できるので、据付脚および室外機の接合部における分離を防止することができる。
【００２４】
（７）
変形許容部は、接合部の剥離強度よりも剛性強度が低いことが好ましい。
【００２５】
この場合、変形許容部は、接合部の剥離強度よりも剛性強度が低く設定されるので、据付脚および室外機の接合部における分離が生じる前に変形許容部において力の吸収が行われ、据付脚および室外機の接合部における分離を確実に防止することができる。
【発明の効果】
【００２６】
以上の説明に述べたように、本発明によれば、以下の効果が得られる。
【００２７】
本発明に係る室外機の固定構造によれば、室外機と一対の据付脚との接合部を引き剥がそうとする力が加わった場合であっても、変形許容部が積極的に変形することにより据付脚および室外機の接合部における分離を防止することができる。また、変形許容部を室外機および据付脚の両方に形成することにより、さらに確実に据付脚および室外機の接合部における分離を防止することができる。
【００２８】
また、本発明に係る室外機の固定構造によれば、据付脚に孔形状を設ける、または据付脚の幅を変化させることにより、据付脚の剛性を低下させ、接合部の剥離強度よりも据付脚の孔形状を設けた部分の剛性強度を低下させることができ、据付脚および室外機の接合部における分離を防止することができる。
【００２９】
本発明に係る室外機の固定構造によれば、変形許容部が設置固定部と接合部との間に設けられ、接合部の剥離強度よりも剛性強度が低く設定される。室外機と一対の据付脚との接合部を引き剥がそうとする力は、設置固定部と接合部との間に発生するので、当該力を変形許容部により確実に吸収させることができる。
【発明を実施するための最良の形態】
【００３０】
以下、図面に基づいて、本発明に係る室外機の固定構造の実施形態について説明する。
【００３１】
（第１の実施の形態）
図１は、本発明の第１の実施の形態に係る室外機の固定構造の一例を示す模式的外観図であり、図２は、図１の室外機の底フレームと据付脚との構造を示す模式図である。
【００３２】
図１および図２に示すように、室外機１００の矩形の一方向と垂直な方向に、一対の据付脚（脚部）２００が配される。この一対の据付脚２００は、室外機１００の底フレーム１１０の外側に固定される。具体的には、一対の据付脚２００のテーブルトップ部２１０ａ，２１０ｂが底フレーム１１０にカシメ接合により固定される。
【００３３】
次に、図３は、図１および図２に示した据付脚２００の詳細を示す模式的斜視図である。
【００３４】
図３に示すように、一対の据付脚２００は、長手方向を有し、主に板状部材からなる。据付脚２００には、固定ボルトを貫通させて床面（設置固定面）に固定する固定孔２５０ａと、固定孔２５０の反対側を固定ボルトで床面（設置固定面）に固定するＵ字切り欠き部２５０ｂと、据付脚２００と底フレーム１１０とをカシメ接合により固定させるテーブルトップ部２１０ａ，２１０ｂと、中央に孔形状が形成された曲げ許容部２４０とが形成されている。
【００３５】
また、図３に示すように、据付脚２００の固定孔２５０ａの周辺には、曲げ部２２０ａが形成されている。同様に、テーブルトップ部２１０ａ，２１０ｂおよび曲げ許容部２４０との間に曲げ部２３０ａ，２３０ｂが形成されている。また、据付脚２００のＵ字切り欠き部２５０ｂの周辺には、曲げ部２２０ｂが形成されている。なお、テーブルトップ部２１０ａおよびテーブルトップ部２１０ｂは、垂直上方向に突した凸形状からなり、高剛性を有するように形成されている。
【００３６】
一方、据付脚２００の固定孔２５０ａおよびテーブルトップ部２１０ａとの間の領域２２１ａは、平板状の板部材のみで形成され、曲げ部が形成されず、曲げ許容部２４０の周辺領域２３１にも、曲げ部が形成されず、テーブルトップ部２１０ｂおよびＵ字切り欠き部２５０ｂの間の領域２２１ｂにも、曲げ部が形成されない。
【００３７】
次いで、図４は、図３の据付脚２００に曲げ応力がかかった場合を説明するための模式図であり、図５は従来の室外機において据付脚９００と室外機の底フレーム１１０とのカシメ接合が外れる場合を説明するための模式図である。
【００３８】
室外機１００の一端側のみの据付脚２００のボルトＢが外され、他端側の据付脚２００のボルトＢが固定台７００に固定された状態で、室外機１００が持ち上げられた場合、据付脚２００に固定台７００から引き剥がされる方向に外力が加わる。この場合、本実施の形態の室外機１００の固定構造においては、図４に示すように、曲げ許容部２４０において変形が生じ、外力が吸収される。その結果、カシメ凸部３００と底フレーム１１０のカシメ凹部１２０とが分離されない。
【００３９】
一方、従来の室外機の固定構造においては、図５に示すように、曲げ許容部２４０が形成されていないため、固定台７００から引き剥がされる方向の外力が、据付脚９００のカシメ凸部３００に直接的に加わり、底フレーム１１０のカシメ凹部１２０と離合して、破損し、据付脚９００と底フレーム１１０とが分離される。この場合、再度、据付脚９００を用いて室外機を固定台７００に固定させることができない。
【００４０】
以上のように、本実施の形態に係る室外機１００の固定構造においては、一対の据付脚２００に曲げ許容部２４０が形成されているので、室外機１００を固定台７００から引き剥がす力が加わった場合であっても、曲げ許容部２４０により据付脚２００と室外機１００の底フレーム１１０とのカシメ接合の接合部の破損を防止させることができる。すなわち、据付脚２００の中央部に曲げ許容部２４０を設けることにより、据付脚２００の剛性強度を低下させ、据付脚２００の曲げ許容部２４０の変形により外力を吸収させることができる。その結果、室外機１００が傾斜された場合であっても、据付脚２００のカシメ接合の分離を防止し、確実に据付脚２００を再度利用させることができる。
【００４１】
なお、本実施の形態においては、据付脚２００に１個の矩形状の孔を設けることとしたが、これに限定されず、他の任意の形状の孔であってもよく、また、１個に限らず、複数の孔形状を設けてもよい。
【００４２】
（第２の実施の形態）
以下、本発明にかかる第２の実施の形態について説明する。図６は、図３の据付脚２００の曲げ許容部２４０の他の例を示す模式的外観図である。
【００４３】
図６に示すように、第２の実施の形態にかかる据付脚２００ａは、第１の実施の形態にかかる据付脚２００の曲げ許容部２４０の代わりに曲げ許容部２４５を備える。曲げ許容部２４５は、据付脚２００の中央部の幅方向を狭くしたものである。すなわち、主に矩形の板部材からなる据付脚２００ａの幅の一部を狭くし、曲げ許容部２４５を形成したものである。
【００４４】
以上のように、本実施の形態に係る室外機１００の固定構造においては、一対の据付脚２００ａに曲げ許容部２４５が形成されているので、室外機１００を固定台７００から引き剥がす力が加わった場合であっても、曲げ許容部２４５により据付脚２００ａと室外機１００の底フレーム１１０とのカシメ接合の接合部の破損を防止させることができる。すなわち、据付脚２００ａの幅の一部を狭くすることにより、据付脚２００ａの剛性強度を低下させ、据付脚２００ａの変形により外力を吸収させることができる。その結果、室外機１００が傾斜された場合であっても、据付脚２００ａのカシメ接合の破損を防止し、確実に据付脚を再利用することができる。
【００４５】
なお、第２の実施の形態においては、一部において据付脚２００ａの幅を狭めることとしたが、これに限定されず、複数箇所において、据付脚２００ａの幅を狭めて複数の曲げ許容部２４５を設けることとしてもよい。
【００４６】
（第３の実施の形態）
以下、本発明にかかる第３の実施の形態について説明する。図７は、第１または第２の実施の形態に係る室外機の固定構造のさらに他の例を示す模式的外観図である。
【００４７】
図７に示すように、第３の実施の形態にかかる据付脚２００ｂは、第１および第２の実施の形態にかかる据付脚２００，２００ａの曲げ許容部２４０，２４５の代わりにテーブルトップ部２１０ａ，２１０ｂに略コ字状の切り込み孔２６０ａ，２６０ｂを備える。この略コ字状の切り込み孔２６０ａ，２６０ｂに囲まれた内側のテーブルトップ部２１０ａ，２１０ｂに底フレーム１１０とのカシメ部が形成される。
【００４８】
この場合、略コ字状の切り込み孔２６０ａ，２６０ｂにより、テーブルトップ部２１０ａ，２１０ｂが、据付脚２００ｂの長手方向を軸として回転可能な弾性を有することとなる。その結果、カシメ部が離合する前に、略コ字状の切り込み孔２６０ａ，２６０ｂにより区切られたテーブルトップ部２１０ａ，２１０ｂが弾性変形する。
【００４９】
以上のように、本実施の形態に係る室外機１００の固定構造においては、一対の据付脚２００ｂに略コ字状の切り込み孔２６０ａ，２６０ｂが形成されているので、室外機１００を固定台７００から引き剥がす力が加わった場合であっても、略コ字状の切り込み孔２６０ａ，２６０ｂの形成されたテーブルトップ部２１０ａ，２１０ｂにより据付脚２００ｂと室外機１００の底フレーム１１０とのカシメ接合の接合部の破損を防止させることができる。すなわち、据付脚２００ｂの一部に略コ字状の切り込み孔２６０ａ，２６０ｂを形成することにより、据付脚２００ｂのカシメ部周囲の剛性強度を低下させ、テーブルトップ部２１０ａ，２１０ｂの変形により外力を吸収させることができる。その結果、室外機１００が傾斜された場合であっても、据付脚２００ｂのカシメ接合の接合部の破損を防止し、確実に据付脚２００ｂを再度利用することができる。
【００５０】
なお、本実施の形態においては、据付脚２００ｂに略コ字状の切り込み孔２６０ａ，２６０ｂを形成することとしたが、これに限定されず、室外機１００の底フレーム１１０に略コ字状の切り込み孔を形成することとしてもよい。
【００５１】
（第４の実施の形態）
以下、本発明にかかる第４の実施の形態について説明する。図８は、第３の実施の形態の据付脚２００ｂのさらに他の例を示す模式的外観図である。
【００５２】
図８に示すように、第４の実施の形態にかかる据付脚２００ｃは、第３の実施の形態にかかる据付脚２００ｂの略コ字状の切り込み孔２６０ａ，２６０ｂにさらに略コ字状の切り込み孔２６１ａ，２６１ｂを備える。この略コ字状の切り込み孔２６０ａ，２６０ｂに囲まれた内側に略コ字状の切り込み孔２６１，２６１ｂが形成され、切り込み孔２６０ａ，２６１ａまたは切り込み孔２６０ｂ，２６１ｂに囲まれたテーブルトップ部２１０ａ，２１０ｂに底フレーム１１０とのカシメ部が形成される。
【００５３】
この場合、略コ字状の切り込み孔２６０ａ，２６０ｂおよび２６１ａ，２６１ｂにより、テーブルトップ部２１０ａ，２１０ｂが、据付脚２００ｂの長手方向を軸として回転可能な弾性を有することとなる。その結果、カシメ部が離合する前に、略コ字状の切り込み孔２６０ａ，２６０ｂおよび２６１ａ，２６１ｂにより区切られたテーブルトップ部２１０ａ，２１０ｂが弾性変形する。すなわち、第４の実施の形態においては、第３の実施の形態おける室外機の固定構造と比較して、弾性を有する方向が複数形成されている。そのため、一方向の外力のみならず多方向の外力を吸収することができる。
【００５４】
以上のように、本実施の形態に係る室外機１００の固定構造においては、一対の据付脚２００ｃに略コ字状の切り込み孔２６０ａ，２６０ｂ，２６１ａ，２６１ｂが形成されているので、室外機１００を固定台７００から引き剥がす力が加わった場合であっても、略コ字状の切り込み孔２６０ａ，２６０ｂ，２６１ａ，２６１ｂの形成されたテーブルトップ部２１０ａ，２１０ｂにより据付脚２００ｃと室外機１００の底フレーム１１０とのカシメ接合の接合部の破損を防止させることができる。すなわち、据付脚２００ｃの一部に略コ字状の切り込み孔２６０ａ，２６０ｂおよび逆方向の略コ字状の切り込み孔２６１ａ，２６１ｂを形成することにより、据付脚２００ｃのカシメ部周囲の剛性強度を低下させ、据付脚２００ｃの変形により複数方向の外力を吸収させることができる。その結果、室外機１００が傾斜された場合であっても、据付脚２００ｃのカシメ接合の接合部の破損を防止し、確実に据付脚２００ｃを再度利用することができる。
【００５５】
なお、本実施の形態においては、据付脚２００ｃに方向の異なる略コ字状の切り込み孔２６０ａ，２６０ｂ，２６１ａ，２６１ｂを形成することとしたが、これに限定されず、室外機１００の底フレーム１１０に方向の異なる略コ字状の切り込み孔を形成してもよく、一方向の略コ字状切り込み孔を室外機１００の底フレーム１１０に形成し、他方向の略コ字状の切り込み孔を据付脚２００ｃに形成することとしてもよい。
【００５６】
（第５の実施の形態）
以下、本発明にかかる第５の実施の形態について説明する。図９は、第１から第４の実施の形態の据付脚２００のさらに他の例を示す模式的外観図である。
【００５７】
図９に示すように、第５の実施の形態にかかる据付脚２００ｄは、第１の実施の形態にかかる据付脚２００の曲げ許容部２４０の代わりに領域２２１ａおよび領域２２１ｂに直線状の切り込み孔２７０ａ，２７０ｂを備える。
【００５８】
この場合、直線状の切り込み孔２７０ａにより、固定孔２５０ａおよびテーブルトップ部２１０ａのカシメ接合との間に係る力を直線状の切り込み孔２７０ａの周囲の据付脚２００ｄにより吸収することができる。同様に、直線状の切り込み孔２７０ｂにより、Ｕ字切り欠き部２５０ｂおよびテーブルトップ部２１０ｂのカシメ接合との間に係る力を直線状の切り込み孔２７０ｂの周囲の据付脚２００ｄにより吸収することができる。
【００５９】
以上のように、本実施の形態に係る室外機１００の固定構造においては、一対の据付脚２００ｄに直線状の切り込み孔２７０ａ，２７０ｂが形成されているので、室外機１００を固定台７００から引き剥がす力が加わった場合であっても、直線状の切り込み孔２７０ａ，２７０ｂの周囲により据付脚２００ｄと室外機１００の底フレーム１１０とのカシメ接合の接合部の破損を防止させることができる。すなわち、直線状の切り込み孔２７０ａ，２７０ｂを形成することにより、据付脚２００ｄのカシメ部周囲の剛性強度を低下させ、据付脚２００ｄの変形により外力を吸収させることができる。その結果、室外機１００が傾斜された場合であっても、据付脚２００ｄのカシメ接合の接合部の破損を防止し、確実に据付脚２００ｄを再度利用することができる。
【００６０】
（第６の実施の形態）
以下、本発明にかかる第６の実施の形態について説明する。図１０は、第１から第５の実施の形態の据付脚２００のさらに他の例を示す模式的外観図である。
【００６１】
図１０に示すように、第６の実施の形態にかかる据付脚２００ｅは、第１の実施の形態にかかる据付脚２００の曲げ許容部２４０の代わりにテーブルトップ部２１０ａ，２１０ｂに十字切り込み孔２８０ａ，２８０ｂを備える。
【００６２】
この場合、十字切り込み孔２８０ａ，２８０ｂにより、テーブルトップ部２１０ａ，２１０ｂが、多方向に弾性を有することとなる。その結果、カシメ部が離合する前に、十字切り込み孔２８０ａ，２８０ｂを備えるテーブルトップ部２１０ａ，２１０ｂが弾性変形する。すなわち、一方向の外力のみならず多方向の外力を吸収することができる。
【００６３】
以上のように、本実施の形態に係る室外機１００の固定構造においては、一対の据付脚２００ｅに十字切り込み孔２８０ａ，２８０ｂが形成されているので、室外機１００を固定台７００から引き剥がす力が加わった場合であっても、十字切り込み孔２８０ａ，２８０ｂにより据付脚２００ｅと室外機１００の底フレーム１１０とのカシメ接合の接合部の破損を防止させることができる。すなわち、据付脚２００ｅに十字切り込み孔２８０ａ，２８０ｂを形成することにより、据付脚２００ｅのカシメ部周囲の剛性強度を低下させ、据付脚２００ｅの変形により多方向の外力を吸収させることができる。その結果、室外機１００が傾斜された場合であっても、据付脚２００ｅのカシメ接合の接合部の破損を防止し、確実に据付脚２００ｅを再度利用することができる。
【００６４】
なお、本実施の形態においては、据付脚２００ｅに十字切り込み孔２８０ａ，２８０ｂを形成することとしたが、これに限定されず、室外機１００の底フレーム１１０に十字切り込み孔２８０ａ，２８０ｂを形成することとしてもよい。
【００６５】
以下、ここで、本発明にかかる据付脚の変形許容部の効果について一般的な理論に基づいて説明を行う。
【００６６】
Ａ）底フレームにおけるカシメ接合強度の試算について
カシメ接合により底フレームに固定された据付脚が、底フレームから引き剥がされる力が加わった場合、カシメ部へかかる力について数値を用いて説明する。当該説明にあたり以下の順で説明を行う。
【００６７】
１）本発明にかかる変形許容部を有する据付脚と、従来の変形許容部を有しない据付脚との個々において同様の力の曲げモーメントが加わった場合の歪エネルギを計算する。
２）次いで、１）で得られた据付脚の変形時の歪エネルギより、カシメ部へ集中する力（エネルギ）がどれだけ分散されているか検討する。
すなわち、歪エネルギが大きいということは、据付脚の変形許容部により吸収されるエネルギが大きいということを示すこととなる。その結果、吸収されるエネルギが大きい場合、カシメ部への力を分散させる効果が大きいことがわかる。
【００６８】
図１１は、底フレームにおけるカシメ強度の試算に用いた据付脚の一例を示す模式図である。図１１（ａ）は、従来の据付脚を示し、図１１（ｂ）は変形許容部が形成された据付脚（第２の実施の形態）を示す。
【００６９】
図１１（ａ）に示すように、長さＬは据付脚に対して固定台から引き剥がす力が加わった場合の曲がり部の長さを示し、厚みＨは据付脚の板部材の厚みを示し、幅Ｂ１は据付脚の板部材の幅を示す。同様に、図１１（ｂ）に示すように、長さＬは据付脚に対して固定台から引き剥がす力が加わった場合の曲がり部の長さを示し、厚みＨは据付脚の板部材の厚みを示し、幅Ｂ２は据付脚の板部材の幅を変化させた板部材の幅を示す。
【００７０】
ここで、一般的な梁における歪エネルギーは、以下のように得られる。また、図１２は、一般的な梁における歪エネルギの算出を説明するための説明図である。
【００７１】
図１２に示すように、一般の梁に蓄えられる歪エネルギ（Ｕ・μｍｍ）は、単位体積あたりの歪エネルギσε／２（Ｎ・ｍｍ／ｍｍ３）を梁の体積で積分することにより得られる。
【数１】
2009019849.tif 000003
・・・（１）
【００７２】
また、曲げ応力σは以下の式により算出される。なお、Ｅはヤング率を示し、Ｉは断面２次モーメントを示し、Ｒは曲率半径を示す。
【数２】
2009019849.tif 000004
・・・（２）
【００７３】
ここで、歪は、ε＝ｙ/Ｒの関係から、以下の式が導き出せる。
【数３】
2009019849.tif 000005
・・・（３）
【００７４】
最終的に歪エネルギＵは、以下の式で表せる。
【数４】
2009019849.tif 000006
・・・（４）
【００７５】
続いて、据付脚を一般の梁に置換して歪エネルギを計算する。図１３は、歪エネルギを説明するための説明図である。
【００７６】
図１３に示すように、梁中心部に上方向に外力（Ｐ）が作用した場合、曲げモーメントＭは、以下の式となる。
【数５】
2009019849.tif 000007
・・・（５）
【００７７】
算出された曲げモーメントＭを歪エネルギの算出式（式（４））に代入すると以下の式となる。
【００７８】
【数６】
2009019849.tif 000008
・・・（６）
【００７９】
ここで、図１１（ａ）および図１１（ｂ）のそれぞれにおける断面二次モーメントＩを考慮する。図１４は、断面二次モーメントを説明する説明図である。図１４（ａ）は、図１１（ａ）の断面二次モーメントを説明する説明図であり、図１１（ｂ）の断面二次モーメントを説明する説明図である。
【００８０】
図１４（ａ）に示すように、図１１（ａ）の場合、断面二次モーメントＩ１は、以下の式で表される。
【数７】
2009019849.tif 000009
・・・（７）
【００８１】
一方、歪エネルギＵ１は、以下の式で表される。
【数８】
2009019849.tif 000010
・・・（８）
【００８２】
また、図１４（ｂ）に示すように、図１１（ｂ）の場合、断面二次モーメントは、以下の式で表される。
【数９】
2009019849.tif 000011
・・・（９）
【００８３】
一方、歪エネルギＵ２は、以下の式で表される。
【数１０】
2009019849.tif 000012
・・・（１０）
【００８４】
ここで、式８および式１０を考慮すると、Ｕ１≦Ｕ２（∵ｂ２≦ｂ１）の関係から、歪エネルギＵは、据付脚の幅ｂに反比例の関係にあることがわかる。すわなち、据付脚の幅ｂが狭くなる程、据付脚に蓄えられる歪エネルギは大きくなることがわかる。したがって、図１１（ａ），（ｂ）の据付脚に同じ外力Ｐが加わり、カシメ接合の接合部の引き出し力が作用した場合、図１１（ｂ）のように、据付脚の幅を変化させた方が、カシメ部への力集中が分散され、カシメ部がより外れにくくなることが証明される。
【００８５】
上記本発明に係る第１から第６の実施の形態において、室外機１００は室外機に相当し、
固定台７００は設置固定部に相当し、底フレーム１１０は矩形の底板に相当し、据付脚２００，２００ａ〜２００ｅは、一対の板状の据付脚に相当し、曲げ許容部２４０，２４５，略コ字状の切り込み孔２６０ａ，２６０ｂ，２６１ａ，２６１ｂ，直線状の切り込み孔２７０ａ，２７０ｂ，十字切り込み孔２８０ａ，２８０ｂが変形許容部に相当し、曲げ許容部２４０，略コ字状の切り込み孔２６０ａ，２６０ｂ，２６１ａ，２６１ｂ，直線状の切り込み孔２７０ａ，２７０ｂ，十字切り込み孔２８０ａ，２８０ｂは、１または複数の孔形状に相当し、曲げ許容部２４５は、据付脚の板状の幅を変化させることに相当する。
【００８６】
本発明は、上記の好ましい第１から第６の実施の形態に記載されているが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【産業上の利用可能性】
【００８７】
本発明は、空気調和機における室外機の固定に関して広く利用することができる。
【図面の簡単な説明】
【００８８】
【図１】本発明の第１の実施の形態に係る室外機の固定構造の一例を示す模式的外観図
【図２】図１の室外機の底フレームと据付脚との構造を示す模式図
【図３】図１および図２に示した据付脚の詳細を示す模式的斜視図
【図４】図３の据付脚に曲げ応力がかかった場合を説明するための模式図
【図５】従来の室外機において据付脚と室外機の底フレームとのカシメが外れる場合を説明するための模式図
【図６】図３の据付脚の曲げ許容部の他の例を示す模式的外観図
【図７】第１または第２の実施の形態に係る室外機の固定構造のさらに他の例を示す模式的外観図
【図８】第３の実施の形態の据付脚のさらに他の例を示す模式的外観図
【図９】第１から第４の実施の形態の据付脚のさらに他の例を示す模式的外観図
【図１０】第１から第５の実施の形態の据付脚のさらに他の例を示す模式的外観図
【図１１】底フレームにおけるカシメ強度の試算に用いた据付脚の一例を示す模式図
【図１２】一般的な梁における歪エネルギの算出を説明するための説明図
【図１３】歪エネルギを説明するための説明図
【図１４】断面二次モーメントを説明する説明図
【符号の説明】
【００８９】
１００  室外機
７００  固定台
１１０  底フレーム
２００，２００ａ〜２００ｅ  据付脚
２４０，２４５  曲げ許容部
２６０ａ，２６０ｂ，２６１ａ，２６１ｂ  略コ字状の切り込み孔
２７０ａ，２７０ｂ  直線状の切り込み孔
２８０ａ，２８０ｂ  十字切り込み孔
【図１】
2009019849.tif 000013
【図２】
2009019849.tif 000014
【図３】
2009019849.tif 000015
【図４】
2009019849.tif 000016
【図５】
2009019849.tif 000017
【図６】
2009019849.tif 000018
【図７】
2009019849.tif 000019
【図８】
2009019849.tif 000020
【図９】
2009019849.tif 000021
【図１０】
2009019849.tif 000022
【図１１】
2009019849.tif 000023
【図１２】
2009019849.tif 000024
【図１３】
2009019849.tif 000025
【図１４】
2009019849.tif 000026